(57)【要約】【課題】回転センサの回転部や固定部を外輪端部や内輪端部に圧入しても、軸受の軸やケーシングとの嵌め合いに支障を来たさないようにすることである。【解決手段】回転センサの検出素子８ａを備えた固定部としての圧入リング９が圧入される裏面側の内輪１の延長端部１ａの内径面に逃がし部として段差１１を形成することにより、圧入圧力によって内輪１の延長端部１ａの内径面が縮径するように弾性変形しても、軸受の嵌め合いに支障を来たさないようにした。【選択図】図１
2007010083.tif 000002
【特許請求の範囲】
【請求項１】
回転素子を備えた回転部と、この回転素子の回転を検出する検出素子を備えた固定部とから成る回転センサの前記回転部と固定部の少なくともいずれかを、外輪端部の内径面または内輪端部の外径面に圧入によって固定した回転センサ付き転がり軸受において、前記回転センサの回転部または固定部が圧入される裏面側の外輪端部の外径面または内輪端部の内径面に逃がし部を設けたことを特徴とする回転センサ付き転がり軸受。
【請求項２】
前記逃がし部をテーパまたは段差で形成した請求項１に記載の回転センサ付き転がり軸受。
【発明の詳細な説明】
【技術分野】
【０００１】
本発明は、回転センサ付き転がり軸受に関し、特に、回転センサの回転部と固定部の少なくともいずれかを、外輪端部の内径面または内輪端部の外径面に圧入によって固定した回転センサ付き転がり軸受に関する。
【背景技術】
【０００２】
エンジンやモータの出力軸を支持する軸受や車輪を支持する軸受には、その回転数や回転角を検出するために回転センサを取り付けた回転センサ付き転がり軸受が使用されることがある。この回転センサ付き転がり軸受には、回転センサの取り付けを容易にするために、回転センサの回転素子を備えた回転部や、この回転素子の回転を検出する検出素子を備えた固定部を、外輪端部の内径面や内輪端部の外径面に圧入によって固定したものがある（例えば、特許文献１参照）。特許文献１に記載されたものでは、回転素子としてのパルサリングを備えた回転部を回転側軌道輪の端部に圧入するとともに、検出素子を備えた固定部としての圧入リングを固定側軌道輪の端部に圧入している。
【０００３】
【特許文献１】実開平５−５５０７０号公報（第２、６図）
【発明の開示】
【発明が解決しようとする課題】
【０００４】
上述した回転センサの回転部や固定部を外輪端部や内輪端部に圧入で固定した回転センサ付き転がり軸受では、これらの回転部や固定部が嵌合に必要な耐引抜力（例えば１０ｋｇｆ以上）を確保できるように、大きな締め代で圧入される。このため、この圧入圧力によって、これらが外輪端部の内径面に圧入される場合は、その裏側の外径面が拡径するように弾性変形し、内輪端部の外径面に圧入される場合は、その裏側の内径面が縮径するように弾性変形して、軸受が取り付けられる軸やケーシングとの嵌め合いに支障を来たす問題がある。
【０００５】
そこで、本発明の課題は、回転センサの回転部や固定部を外輪端部や内輪端部に圧入しても、軸受の軸やケーシングとの嵌め合いに支障を来たさないようにすることである。
【課題を解決するための手段】
【０００６】
上記の課題を解決するために、本発明は、回転素子を有する回転部と、この回転素子の回転を検出する検出素子を有する固定部とから成る回転センサの前記回転部と固定部の少なくともいずれかを、外輪端部の内径面または内輪端部の外径面に圧入によって固定した回転センサ付き転がり軸受において、前記回転センサの回転部または固定部が圧入される裏面側の外輪端部の外径面または内輪端部の内径面に逃がし部を設けた構成を採用した。
【０００７】
すなわち、回転センサの回転部または固定部が圧入される裏面側の外輪端部の外径面または内輪端部の内径面に逃がし部を設けることにより、圧入圧力によって外輪端部の外径面が拡径するように弾性変形したり、内輪端部の内径面が縮径するように弾性変形しても、軸受の軸やケーシングとの嵌め合いに支障を来たさないようにした。
【０００８】
前記逃がし部は、テーパまたは段差で形成することができる。
【発明の効果】
【０００９】
本発明の回転センサ付き転がり軸受は、回転センサの回転部または固定部が圧入される裏面側の外輪端部の外径面または内輪端部の内径面に逃がし部を設けたので、圧入圧力によって外輪端部の外径面が拡径するように弾性変形したり、内輪端部の内径面が縮径するように弾性変形しても、軸受の軸やケーシングとの嵌め合いに支障を来たさないようにすることができる。
【発明を実施するための最良の形態】
【００１０】
以下、図面に基づき、本発明の実施形態を説明する。図１は、第１の実施形態を示す。この回転センサ付き転がり軸受は、内輪１と外輪２の間に２列のボール３が保持器４で保持された複列玉軸受であり、内輪１が固定輪、外輪２が回転輪とされて、外輪２の両端部の内径面に軸受空間をシールする接触シール５、６が取り付けられている。
【００１１】
前記外輪２の一端側に取り付けられた接触シール５の芯金５ａには、回転センサの回転素子としてのパルサリング７が取り付けられ、その外側に延長された内輪１の延長端部１ａの外径面に、回転センサの検出素子８ａと電気回路基板８ｂを備え、出力ケーブル８ｃが接続された固定部としての圧入リング９が圧入されている。また、圧入リング９にはシールリップ１０も取り付けられ、このシールリップ１０が外輪２の一端側に延長された延長端部２ａの内径面に接触して、回転センサの検出部がシールされている。
【００１２】
また、前記内輪１の延長端部１ａと外輪２の延長端部２ａは、回転センサの取り付けスペースを確保するために薄肉に形成され、圧入リング９が圧入された内輪１の延長端部１ａの裏面側の内径面には、圧入時の弾性変形による縮径を逃がす逃がし部としての段差１１が形成されている。
【００１３】
図２は、第２の実施形態を示す。この回転センサ付き転がり軸受も、第１の実施形態のものと同様の複列玉軸受であり、前記回転素子としてのパルサリング７が、外輪２の延長端部２ａの内径面に圧入され、その裏面側の外径面に圧入時の弾性変形による拡径を逃がす逃がし部としてのテーパ１２が形成されている点が異なる。なお、この実施形態では、パルサリング７がシールドの役割もし、片側の接触シール５が省略されている。その他の部分は第１の実施形態のものと同じである。
【００１４】
上述した各実施形態では、転がり軸受を外輪を回転輪とする複列玉軸受としたが、本発明に係る回転センサ付き転がり軸受は、単列の玉軸受やころ軸受等の他のタイプの転がり軸受にも適用することができる。また、内輪を回転輪とする転がり軸受にも適用でき、この場合は、回転センサの回転部を内輪側に、固定部を外輪側に設け、少なくともそのいずれかをこれらの軌道輪の端部に圧入すればよい。
【図面の簡単な説明】
【００１５】
【図１】第１の実施形態の回転センサ付き転がり軸受を示す一部省略縦断面図
【図２】第２の実施形態の回転センサ付き転がり軸受を示す一部省略縦断面図
【符号の説明】
【００１６】
１  内輪
２  外輪
１ａ、２ａ  延長端部
３  ボール
４  保持器
５、６  接触シール
５ａ  芯金
７  パルサリング
８ａ  検出素子
８ｂ  電気回路基板
８ｃ  出力ケーブル
９  圧入リング
１０  シールリップ
１１  段差
１２  テーパ
【図１】
2007010083.tif 000003
【図２】
2007010083.tif 000004